(57)【要約】【課題】水道管のエア抜きバルブをバルブカバーで覆うことができ、かつこのバルブカバーを水道管に容易に設置する。【解決手段】エア抜きバルブのバルブカバー２０は、エア抜きバルブ１０を覆うバルブカバー本体２１と、バルブカバー本体２１に取り付けられ、バルブカバー本体を水道管１に固定するバンド装置２３Ａとを備える。バンド装置２３Ａはバルブカバー本体２１に取り付けられた上半部２３と、上半部２３に締結装置３０により締結された下半部２４とを有する。【選択図】図１
2020143451.tif 000002
【特許請求の範囲】
【請求項１】
円筒状の水道管に設けられたエア抜きバルブを覆うバルブカバーにおいて、
前記エア抜きバルブを覆うバルブカバー本体と、
前記バルブカバー本体に取り付けられ、前記バルブカバー本体を前記水道管に固定するバンド装置とを備え、
前記バンド装置は互いに分割され、前記水道管を囲む上半部と下半部とを有し、前記上半部は前記バルブカバー本体に固定され、前記下半部は前記上半部に締結装置により締結されるバルブカバー。
【請求項２】
前記上半部の内面に、前記バルブカバー本体の下端周囲に延びる帯状パッキンを設けた、請求項１記載のバルブカバー。
【請求項３】
前記上半部は前記帯状パッキンを収納する開口が形成された上半部本体と、この上半部本体の開口を覆うパッキン押さえとを有し、前記パッキン押さえが前記バルブカバー本体に固着される、請求項２記載のバルブカバー。
【請求項４】
円筒状の水道管に設けられたエア抜きバルブと、
前記エア抜きバルブを覆って設けられたバルブカバーとを備え、
前記バルブカバーは、前記エア抜きバルブを覆うバルブカバー本体と、
前記バルブカバー本体に取り付けられ、前記バルブカバー本体を前記水道管に固定するバンド装置とを備え、
前記バンド装置は互いに分割され、前記水道管を囲む上半部と下半部とを有し、前記上半部は前記バルブカバー本体に固定され、前記下半部は前記上半部に締結装置により締結されるエア抜きバルブとバルブカバーの組み合わせ体。
【発明の詳細な説明】
【技術分野】
【０００１】
本開示は水道橋等の水道管に設置されたエア抜きバルブを覆うバルブカバー、およびエア抜きバルブとバルブカバーの組み合わせ体に関する。
【背景技術】
【０００２】
従来より、水を送るために水道橋が設置されている。この水道橋は外方へ露出した円筒状の水道管からなり、水道管の上部位置にエア抜きバルブが設置されている。
【０００３】
このような水道管は外方へ露出しているため、エア抜きバルブも同様に外方へ露出している。
【発明の概要】
【発明が解決しようとする課題】
【０００４】
上述のように水道管のエア抜きバルブは外方へ露出しているため、エア抜きバルブを覆ってカバーを設けることにより、エア抜きバルブを保護することが求められている。また、水道管のエア抜きバルブから漏水した場合、漏れた水が外方へ流出しないことが求められている。しかしながら水道管は円筒状をなしており、従来より水道管のエア抜きバルブを保護するとともに、エア抜きバルブから漏れた水が外方へ流出することを防止するカバーを簡単に設置することができないのが実情である。
【０００５】
本開示はこのような点を考慮してなされたものであり、水道管のエア抜きバルブを覆って簡単に設置できるバルブカバー、およびエア抜きバルブとバルブカバーの組み合わせ体を提供することを目的とする。
【課題を解決するための手段】
【０００６】
本開示は、円筒状の水道管に設けられたエア抜きバルブを覆うバルブカバーにおいて、前記エア抜きバルブを覆うバルブカバー本体と、前記バルブカバー本体に取り付けられ、前記バルブカバー本体を前記水道管に固定するバンド装置とを備え、前記バンド装置は互いに分割され、前記水道管を囲む上半部と下半部とを有し、前記上半部は前記バルブカバー本体に固定され、前記下半部は前記上半部に締結装置により締結されるバルブカバーである。
【０００７】
本開示は、前記上半部の内面に、前記バルブカバー本体の下端周囲に延びる帯状パッキンを設けた、バルブカバーである。
【０００８】
本開示は、前記上半部は前記帯状パッキンを収納する開口が形成された上半部本体と、この上半部本体の開口を覆うパッキン押さえとを有し、前記パッキン押さえが前記バルブカバー本体に固着される、バルブカバーである。
【０００９】
本開示は、円筒状の水道管に設けられたエア抜きバルブと、前記エア抜きバルブを覆って設けられたバルブカバーとを備え、前記バルブカバーは、前記エア抜きバルブを覆うバルブカバー本体と、前記バルブカバー本体に取り付けられ、前記バルブカバー本体を前記水道管に固定するバンド装置とを備え、前記バンド装置は互いに分割され、前記水道管を囲む上半部と下半部とを有し、前記上半部は前記バルブカバー本体に固定され、前記下半部は前記上半部に締結装置により締結されるエア抜きバルブとバルブカバーの組み合わせ体である。
【発明の効果】
【００１０】
本開示によれば、水道管のエア抜きバルブをバルブカバーで覆うことができ、かつこのバルブカバーを水道管に容易に設置することができる。このため、水道管のエア抜きバルブを適切に保護することができ、エア抜きバルブから漏水した水が外方へ流出することを防止できる。
【図面の簡単な説明】
【００１１】
【図１】図１は第１の実施の形態によるエア抜きバルブとバルブカバーの組み合わせ体を示す側面図。
【図２】図２は図１のエア抜きバルブとバルブカバーの組み合わせ体を示す正面図。
【図３】図３はバルブカバーを示す上面図。
【図４】図４はパッキンの断面図。
【図５】図５はバルブカバーのバルブカバー本体と上半部を示す側断面図。
【図６】図６はバルブカバーを示す分解図。
【図７】図７はエア抜きバルブの一例を示す側断面図。
【図８】図８は第２の実施の形態によるエア抜きバルブとバルブカバーの組み合わせ体を示す側面図。
【図９】図９は図８のエア抜きバルブとバルブカバーの組み合わせ体を示す正面図。
【図１０】図１０はバルブカバーを示す上面図。
【図１１】図１１はバルブカバーを示す分解図。
【発明を実施するための形態】
【００１２】
＜第１の実施の形態＞
以下、図面を参照して本開示の第１の実施の形態について説明する。
【００１３】
図１乃至図７は本開示の第１の実施の形態を示す図である。
【００１４】
図１乃至図７に示すように、水道橋は外方へ露出する円筒状の水道管１を有し、この水道管１の上部位置には、水道管１内のエアを排出するためのエア抜きバルブ１０が設置されている。
【００１５】
このようなエア抜きバルブ１０は、図７に示すように上部フランジ１１ａと下部フランジ１１ｂとを有するバルブ本体１１と、バルブ本体１１内に設けられ、上下方向に移動可能なフロート弁体１２とを含む。
【００１６】
またバルブ本体１１の上部フランジ１１ａには蓋体１５が取り付けられ、この蓋体１５に空気孔１３が設けられている。そしてこの空気孔１３は上下方向に移動するフロート弁体１２により開閉される。
【００１７】
さらにバルブ本体１１の蓋体１５には覆い体１６が取り付けられている。
【００１８】
このような構成からなるエア抜きバルブ１０は、水道管１に、フランジ１９ａを有する取付管１９と、上部フランジ１８ａおよび下部フランジ１８ｂを有する連結管１８を介して固定されている。この場合、取付管１９のフランジ１９ａと連結管１８の下部フランジ１８ｂが接合され、連結管１８の上部フランジ１８ａとエア抜きバルブ１０の下部フランジ１１ｂとが接合される（図１参照）。このように、エア抜きバルブ１０を水道管１に取付管１９と連結管１８を介して取り付けた場合、取付管１９，連結管１８、およびエア抜きバルブ１０は全体として全高が高くなるが、後述のように、連結管１８を取り外してエア抜きバルブ１０の全高を低くしてもよい（図８および図９参照））。
【００１９】
図７に示すように、エア抜きバルブ１０は、内部にフロート弁体１２を有し、水道管１内のエアを空気孔１３から外方へ自動的に放出する構造を有する。しかしながら、エア抜きバルブ１０としては、水道管１内のエアを自動的に外方へ放出するものに限らず、作業者が操作レバーを操作することにより、水道管１内のエアを外方へ放出するものであってもよい。あるいは作業者がハンドルを操作することにより、水道管１内のエアを外方へ放出するものであってもよい。すなわち、エア抜きバルブとしては、図７に示すような自動的にエアを外方へ放出する構造のものに限ることなく、作業者が操作レバーあるいはハンドルを操作してエアを放出する構造のものであってもよく、エア抜きバルブの構造に関しては、特に限定されるものではない。
【００２０】
このようなエア抜きバルブ１０は、バルブカバー２０により覆われ、このバルブカバー２０は水道管１に固定される。
【００２１】
図１乃至図６に示すように、エア抜きバルブ１０を覆うバルブカバー２０は、エア抜きバルブ１０を覆うバルブカバー本体２１と、バルブカバー本体２１に取り付けられ、バルブカバー本体２１を水道管１に固定するバンド装置２３Ａとを備えている。
【００２２】
このうちバルブカバー本体２１は天板２２を有する円筒形状を有し、この天板２２には吊り金具２２ａと、エア抜き用プラグ２２ｂが取り付けられている。
【００２３】
またバンド装置２３Ａは互いに上下方向に分割され、水道管１を囲む半円筒状の上半部２３と、半円筒状の一対の下半部２４とを有し、このうち上半部２３はバルブカバー本体２１に固定されている。また、半円状の一対の下半部２４は、水道管１の軸線方向に互いに離間して設けられ、一対の下半部２４は各々上半部２３に固定されている。
【００２４】
すなわち、一対の下半部２４と上半部２３は、後述する締結装置３０により締結されて、互いに固定されるとともに、水道管１を囲んでいる。この場合、上半部２３と水道管１との間に円周状に延びる帯状パッキン３５が介在されている。また、円周状に延びる帯状パッキン３５は、その上下位置に一対の突起３５ａを有し、この突起３５ａにより帯状パッキン３５の密封性を高めることができる（図４参照）。
【００２５】
次にバンド装置２３Ａを構成する上半部２３と下半部２４について詳述する。図１に示すように、上半部２３は円周状に延びる帯状パッキン３５を収納する開口２３ｂを有する上半部本体２３ａと、上半部本体２３ａに溶接により固定され開口２３ｂを覆うパッキン押さえ２７とを有し、上半部２３のパッキン押さえ２７がバルブカバー本体２１の下端に溶接により固定されている。この場合、帯状パッキン３５は、バルブカバー本体２１の下端周囲に円周状に延びている。
【００２６】
そして上半部２３の上半部本体２３ａの開口２３ｂ内に、円周状に延びる帯状パッキン３５が収納され、この帯状パッキン３５によりバンド装置２３Ａを水道管１外面に密封状態で取り付けることができる。
【００２７】
また各下半部２４には複数の水抜きプラグ３６が設けられている。
【００２８】
ところでバンド装置２３Ａの上半部２３と一対の下半部２４は、上述のように締結装置３０により締結されている。
【００２９】
具体的には、上半部２３の下半部２４側には取付部２５が設けられ、各下半部２４の上半部２３側には取付部２６が設けられ、上半部２３の取付部２５と各下半部２４の取付部２６を貫通してボルト３１が挿入される。そしてこの取付部２５，２６を貫通するボルト３１をナット３２により締め付けることにより、上半部２３と下半部２４とを互いに締結し、この上半部２３と下半部２４とにより水道管１を囲むことができる。
【００３０】
またボルト３１とナット３２とにより締結装置３０が構成される。
【００３１】
なお、図１に示すように、上半部２３には片側に２個、合計４個の取付部２５が設けられ、各下半部２４には片側に１個、合計２個の取付部２６が設けられている。
【００３２】
次にこのような構成からなる本実施の形態の作用について述べる。
【００３３】
まず、バルブカバー２０のうち、バルブカバー本体２１と、このバルブカバー本体２１に固着された上半部２３とを準備する。この場合、上半部２３の上半部本体２３ａの開口２３ｂ内に予め円周状に延びる帯状パッキン３５が収納されている。そしてバルブカバー本体２１と上半部２３を天板２２の吊り金具２２ａに図示しないクレーンのフックに引っ掛けて吊り上げる。次にバルブカバー本体２１と上半部２３を、バルブカバー本体２１がエア抜きバルブ１０を覆うように水道管１上に載せる。この状態で水道管１の下方部に一対の下半部２４を持ってきて、上半部２３と各下半部２４を、ボルト３１とナット３２とからなる締結装置３０により締結する。
【００３４】
このようにして、バルブカバー本体２１と、上半部２３と、各下半部２４とを含むバルブカバー２０を構成することができ、バルブカバー本体２１によりエア抜きバルブ１０を効果的に覆うことができる。
【００３５】
この場合、水道管１に設置されたエア抜きバルブ１０と、バルブカバー２０とによりエア抜きバルブとバルブカバー２０との組み合わせ体１０Ａが得られる。
【００３６】
以上のように本実施の形態によれば、エア抜きバルブ１０を覆うバルブカバー本体２１と、バルブカバー本体２１に固着された上半部２３と、上半部２３に締結装置３０により締結された一対の下半部２４とを含むバルブカバー２０を水道管１に容易かつ確実に設置することができる。またバルブカバー２０の上半部２３に円周状に延びる帯状パッキン３５が設けられ、この帯状パッキン３５は上半部２３の内面にバルブカバー本体２１の下端周囲に沿って延びている。このことにより、水道管１上に設けられたバルブカバー本体２１内を帯状パッキン３５により密封状態に保つことができる。さらにバルブカバー本体２１の天板２２上に吊り金具２２ａが設けられているので、この吊り金具２２ａにクレーンのフックを引っ掛けることにより、バルブカバー本体２１と上半部２３を容易に水道管１上まで持ってくることができる。このように、水道管１のエア抜きバルブ１０をバルブカバー２０で覆うことができ、かつこのバルブカバー２０を水道管１に容易に設置することができる。このため、水道管１のエア抜きバルブ１０を適切に保護することができ、エア抜きバルブ１０から漏水した水が外方へ流出することを防止できる。
【００３７】
＜第２の実施の形態＞
次に図面を参照して本開示の第２の実施の形態について説明する。
【００３８】
図８乃至図１１は本開示の第２の実施の形態を示す図である。
【００３９】
図８乃至図１１に示すように、水道橋は外方へ露出する円筒状の水道管１を有し、この水道管１の上部位置には、水道管１内のエアを排出するためのエア抜きバルブ１０が設置されている。
【００４０】
第２の実施の形態によるエア抜きバルブ１０は、第１の実施の形態のものと異なり、取付管１９を介して水道管１に取り付けられている。このようにエア抜きバルブ１０と水道管１との間から連結管１８が取り除かれているため、エア抜きバルブ１０の全高は第１の実施の形態に比べて低くなっている。
【００４１】
エア抜きバルブ１０は、内部にフロート弁体１２を有し、水道管１内のエアを空気孔１３から外方へ自動的に放出する構造を有する。しかしながら、エア抜きバルブ１０としては、水道管１内のエアを自動的に外方へ放出するものに限らず、作業者が操作レバーを操作することにより、水道管１内のエアを外方へ放出するものであってもよい。あるいは作業者がハンドルを操作することにより、水道管１内のエアを外方へ放出するものであってもよい。すなわち、エア抜きバルブとしては、図７に示すような自動的にエアを外方へ放出する構造のものに限ることなく、作業者が操作レバーあるいはハンドルを操作してエアを放出する構造のものであってもよく、エア抜きバルブの構造に関しては、特に限定されるものではない。
【００４２】
このような構成からなるエア抜きバルブ１０は、水道管１に、フランジ１９ａを有する取付管１９を介して固定されている。この場合、取付管１９のフランジ１９ａとエア抜きバルブ１０の下部フランジ１１ｂとが接合される（図８参照）。
【００４３】
このようなエア抜きバルブ１０は、バルブカバー２０により覆われ、このバルブカバー２０は水道管１に固定される。
【００４４】
図８乃至図１１に示すように、エア抜きバルブ１０を覆うバルブカバー２０は、エア抜きバルブ１０を覆うバルブカバー本体２１と、バルブカバー本体２１に取り付けられ、バルブカバー本体２１を水道管１に固定するバンド装置２３Ａとを備えている。
【００４５】
このうちバルブカバー本体２１は天板２２を有する円筒形状を有し、この天板２２には吊り金具２２ａと、エア抜き用プラグ２２ｂが取り付けられている。
【００４６】
またバンド装置２３Ａは互いに上下方向に分割され、水道管１を囲む半円筒状の上半部２３と、半円筒状の下半部２４とを有し、このうち上半部２３はバルブカバー本体２１に固定されている。また、下半部２４は第１の実施の形態と異なり、単一の下半部２４からなる。
【００４７】
また下半部２４と上半部２３は、後述する締結装置３０により締結されて、互いに固定されるとともに、水道管１を囲んでいる。この場合、上半部２３と水道管１との間に円周状に延びる帯状パッキン３５が介在されている。また、円周状に延びる帯状パッキン３５は、その上下位置に一対の突起３５ａを有し、この突起３５ａにより帯状パッキン３５の密封性を高めることができる（図４参照）。
【００４８】
次にバンド装置２３Ａを構成する上半部２３と下半部２４について詳述する。図８に示すように、上半部２３は円周状に延びる帯状パッキン３５を収納する開口２３ｂを有する上半部本体２３ａと、上半部本体２３ａに溶接により固定され開口２３ｂを覆うパッキン押さえ２７とを有し、上半部２３のパッキン押さえ２７がバルブカバー本体２１の下端に溶接により固定されている。この場合、帯状パッキン３５はバルブカバー本体２１の下端周囲に円周状に延びている。
【００４９】
そして上半部２３の上半部本体２３ａの開口２３ｂ内に、円周状に延びる帯状パッキン３５が収納され、この帯状パッキン３５によりバンド装置２３Ａを水道管１外面に密封状態で取り付けることができる。
【００５０】
また下半部２４には複数の水抜きプラグ３６が設けられている。
【００５１】
またバンド装置２３Ａの上半部２３のうち、バルブカバー本体２１側の上半部本体２３ａ、およびパッキン押さえ２７は上方からみてバルブカバー本体２１の下端より大形に形成されているが（図１０参照）、バルブカバー本体２１と反対側の上半部本体２３ａは水道管１に沿う軸線方向の長さがバルブカバー本体２１の外径より短くなっている（図８参照）。これに伴って、下半部２４の水道管１に沿う軸方向の長さも、バルブカバー本体２１の外径より短くなっている（図８参照）。
【００５２】
またバンド装置２３Ａの上半部２３と下半部２４は、上述のように締結装置３０により締結されている。
【００５３】
具体的には、上半部２３の下半部２４側には取付部２５が設けられ、下半部２４の上半部２３側には取付部２６が設けられ、上半部２３の取付部２５と下半部２４の取付部２６を貫通してボルト３１が挿入される。そしてこの取付部２５，２６を貫通するボルト３１をナット３２により締め付けることにより、上半部２３と下半部２４とを互いに締結し、この上半部２３と下半部２４とにより水道管１を囲むことができる。
【００５４】
なお、図８に示すように、上半部２３には片側に１個、合計２個の取付部２５が設けられ、下半部２４にも片側に１個、合計２個の取付部２６が設けられている。
【００５５】
＜エア抜きバルブの取り付け構造の変形例＞
上記各実施の形態において、エア抜きバルブ１０は上部フランジ１１ａおよび下部フランジ１１ｂを有し、下部フランジ１１ｂと連結管１８の上部フランジ１８ａをフランジ結合することにより、エア抜きバルブ１０を水道管１に取り付けた例（図１および図２参照）、あるいは下部フランジ１１ｂと取付管１９のフランジ１９ａをフランジ結合することにより、エア抜きバルブ１０を水道管１に取り付けた例（図８および図９参照）を示したが、これに限らず、フランジ結合ではなく、エア抜きバルブ１０を溶接により水道管１に取り付けてもよい。あるいはまた、エア抜きバルブ１０を水道管１と一体に成形してもよい。
【符号の説明】
【００５６】
１０Ａ  エア抜きバルブとバルブカバーの組み合わせ体
１０  エア抜きバルブ
２０  バルブカバー
２１  バルブカバー本体
２２  天板
２３  上半部
２３Ａ  バンド装置
２３ａ  上半部本体
２３ｂ  開口
２４  下半部
２７  パッキン押さえ
３０  締結装置
３１  ボルト
３２  ナット
３５  帯状パッキン
【図１】
2020143451.tif 000003
【図２】
2020143451.tif 000004
【図３】
2020143451.tif 000005
【図４】
2020143451.tif 000006
【図５】
2020143451.tif 000007
【図６】
2020143451.tif 000008
【図７】
2020143451.tif 000009
【図８】
2020143451.tif 000010
【図９】
2020143451.tif 000011
【図１０】
2020143451.tif 000012
【図１１】
2020143451.tif 000013